(57)【要約】【課題】  本発明は腕の操作が不自由な人でも、容易に着脱することができるとともに、介添人も容易に着脱させることができ、新しいデザインで楽しく着こなすことができる着脱可能なベストを得るにある。【解決手段】  後身頃と、この後身頃の両側の袖ぐりの下部位置と一体、あるいは縫着固定された先端部で、身体の前部で係止具で着脱可能に取付けることができる左右の前身頃とからなる前身頃と、前記後身頃の上部両側部と後端部が一体に形成され、先端部が前記前身頃の左右の前身頃の上部側に係止具で着脱可能に取付けることができる左右の襟部材とで着脱可能なベストを構成している。【選択図】  図１
2015175080.tif 000002
【特許請求の範囲】
【請求項１】
後身頃と、この後身頃の両側の袖ぐりの下部位置と一体、あるいは縫着固定された先端部で、身体の前部で係止具で着脱可能に取付けることができる左右の前身頃とからなる前身頃と、前記後身頃の上部両側部と後端部が一体に形成され、先端部が前記前身頃の左右の前身頃の上部側に係止具で着脱可能に取付けることができる左右の襟部材とからなることを特徴とする着脱可能なベスト。
【請求項２】
後身頃と左右の襟部材の袖ぐり部分に後端部が一体、あるいは縫着固定された下部が開口する左右の袖部材が設けられていることを特徴とする請求項１記載の着脱可能なベスト。
【請求項３】
後身頃の下端部と着脱可能、一体あるいは縫着固定された左右の足を包むことができる帯状の左右のズボン部材と、この左右のズボン部材を左右の足を包んだ状態を保つ、該左右のズボン部材に取付けられた着脱可能な係止具とが設けられていることを特徴とする請求項１記載の着脱可能なベスト。
【請求項４】
後身頃あるいは前身頃のいずれか一方、あるいは両方に保温剤あるいは保冷剤を収納することができるポケットが設けられていることを特徴とする請求項１記載の着脱可能なベスト。
【発明の詳細な説明】
【技術分野】
【０００１】
本発明は腕の操作が不自由な人でも容易に着脱することができる着脱可能なベストに関する。
【背景技術】
【０００２】
従来、腕の操作が不自由な人は袖孔に腕の挿入が大変で、着用するのに苦労するとともに、介添人も簡単に着用させることができないという欠点があった。
【先行技術文献】
【特許文献】
【０００３】
【特許文献１】特開２００６−７０４０７号公報
【特許文献２】実用新案登録第３１８５８６５号公報
【発明の概要】
【発明が解決しようとする課題】
【０００４】
本発明は以上のような従来の欠点に鑑み、腕の操作が不自由な人でも、容易に着脱することができるとともに、介添人も容易に着脱させることができ、新しいデザインで楽しく着こなすことができる着脱可能なベストを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は後身頃と、この後身頃の両側の袖ぐりの下部位置と一体、あるいは縫着固定された先端部で、身体の前部で係止具で着脱可能に取付けることができる左右の前身頃とからなる前身頃と、前記後身頃の上部両側部と後端部が一体に形成され、先端部が前記前身頃の左右の前身頃の上部側に係止具で着脱可能に取付けることができる左右の襟部材とで着脱可能なベストを構成している。
【発明の効果】
【０００７】
以上の説明から明らかなように、本発明にあっては次に列挙する効果が得られる。
（１）請求項１により、腕を通す袖孔がないので、楽に着脱することができる。
よって、腕の操作が不自由な人でも、介添人でも容易に着脱することができる。
（２）前記（１）により、着用した状態では左右の襟部材の先端部が前身頃の上部位置に位置して、該部位に横方向のラインができる新しいデザインになる。
よって、新しいデザインのものを楽しく着こなすことができる。
（３）前記（１）により、前身頃の係止具の着脱操作と、左右の襟部材と前身頃の上部側とを係止具で着脱する操作で着脱することができる。
したがって、楽で、簡単な操作で着脱することができる。
（４）請求項２も前記（１）〜（３）と同様な効果が得られるとともに、左右の袖部材によって、袖を通すことなく着脱することができ、デザインの幅を拡大することができる。
（５）請求項３も前記（１）〜（３）と同様な効果が得られるとともに、ズボンのあるつなぎとして使用することができ、ズボンは帯状になっているため、容易に足を包むことができる。
（６）請求項４も前記（１）〜（３）と同様な効果が得られるとともに、ポケットに保温剤や保冷剤を収納して、保温、保冷状態で使用することができる。
【図面の簡単な説明】
【０００８】
【図１】本発明を実施するための第１の形態の正面図。
【図２】本発明を実施するための第１の形態の側面図。
【図３】本発明を実施するための第１の形態の展開図。
【図４】本発明を実施するための第１の形態の着用手順を示す説明図。
【図５】本発明を実施するための第２の形態の正面図。
【図６】本発明を実施するための第２の形態の側面図。
【図７】本発明を実施するための第２の形態の展開図。
【図８】本発明を実施するための第３の形態の正面図。
【図９】本発明を実施するための第３の形態の側面図。
【図１０】本発明を実施するための第３の形態の展開図。
【図１１】本発明を実施するための第４の形態の正面図。
【図１２】本発明を実施するための第４の形態の側面図。
【図１３】本発明を実施するための第４の形態の展開図。
【発明を実施するための形態】
【０００９】
以下、図面に示す本発明を実施するための形態により、本発明を詳細に説明する。
【００１０】
図１ないし図４に示す本発明を実施するための第１の形態において、１は本発明の腕の操作が不自由な人や介添人によって着用する着脱可能なベストで、この着脱可能なベスト１は後身頃２と、この後身頃２の両側の袖ぐり２ａ、２ａの下部位置と一体、あるは縫着固定された先端部で、身体３の前部で面ファスナー、スナップボタン、ボタン、ホック、チャック等の前身頃の係止具４で着脱可能に取付けることができる左右の前身頃５ａ、５ｂとからなる前身頃５と、前記後身頃２の上部両側部と後端部が一体に形成され、先端部が前記前身頃５の左右の前身頃５ａ、５ｂの上部側に面ファスナー、スナップボタン、ボタン、ホック、チャック等の襟部材係止具６、６で着脱可能に取付けることができる身体３の肩部分３ａ、３ａを覆う左右の襟部材７、７と、前記後身頃２、前記左右の前身頃５ａ、５ｂのいずれか一方、あるいは両方の内側面に設けられた保温剤あるいは保冷剤を収納することができるポケット８、８、８とで構成されている。
【００１１】
前記前身頃の係止具４は面ファスナー、スナップボタン、ボタン、ホック、チャック等が使用されるが、本発明の実施の形態では使用者が容易に着脱できる面ファスナーが使用されている。
【００１２】
なお、介添人がいる場合にはデザイン性を考え、スナップボタン、ボタン、ホック、チャック等が使用される。これは襟部材係止具６、６も同様である。
【００１３】
上記構成の着脱可能なベスト１は、左右の襟部材７、７を両肩３ａ、３ａに載せ、左右の前身頃５ａ、５ｂの先端部を身体３の先端部に位置させ、前身頃係止具４で左右の前身頃５ａ、５ｂを係止する。
【００１４】
しかる後、左右の襟部材７、７の先端部を左右の前身頃５ａ、５ｂの上部に襟部材係止具６、６によって係止することで着ることができる。
【００１５】
すなわち、従来のように袖孔に腕を通さなくても着ることができ、腕の不自由な人や介添人でも、楽に容易に着脱させることができる。
【００１６】
また、左右の襟部材７、７の先端部によって、前身頃５の上部に横ラインができ、新しいデザインで、きれいに見せることができる。    
【００１７】
[発明を実施するための異なる形態]
次に、図５ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１８】
図５ないし図７に示す本発明を実施するための第２の形態において、前記本発明を実施するための第１の形態と主に異なる点は、後身頃２と左右の襟部材７、７の袖ぐり部分９、９に後端部が一体あるいは縫着固定された下部が開口１０、１０する左右の袖部材１１、１１を設けた点で、このように左右の袖部材１１、１１を設けた着脱可能なベストに１Ａしても、前記本発明を実施するための第１の形態と同様な作用効果が得られる。
【００１９】
なお、左右の袖部材１１、１１の下部の開口１０、１０を必要に応じて面ファスナー、スナップボタン等で閉じることができるようにしてもよい。
また、左右の袖部材１１、１１の長さは半袖、長袖等、任意に設定してもよい。
【００２０】
図８ないし図１０に本発明を実施するための第３の形態において、前記本発明を実施するための第１の形態と主に異なる点は、後身頃２の下端部２ａよりも下端部が下部へ突出するように前身頃５Ａを形成するとともに、後身頃２の下端部に一体、あるいは縫着固定された左右の足３ｂ、３ｂを包むことができる帯状のズボン部材１２を設けるとともに、該左右のズボン部材１２で左右の足３ｂ、３ｂを包んだ状態を保つ、該ズボン部材１２の両端部に取付けられた面ファスナーやスナップボタン等のズボン部材係止具１３を設けた点で、このようにズボン１４を取付けた着脱可能なベスト１Ｂにしてもよい。
【００２１】
図１１ないし図１３に示す本発明を実施するための第４の形態において、前記本発明を実施するための第３の形態と主に異なる点は、後身頃２の下部寄りの部位とズボン１４のズボン部材１２の中央上部寄りの部位を複数個のスナップボタン、ボタン、面ファスナー等のズボン係止具１５で着脱可能に取付けられるようにした点で、このように構成した着脱可能なベスト１Ｃにしても、前記本発明を実施するための第３の形態と同様な作用効果が得られる。
【産業上の利用可能性】
【００２２】
本発明は腕の操作が不自由な人、介添人でも容易に着脱することができる着脱可能なベストを製造する産業で利用される。
【符号の説明】
【００２３】
１、１Ａ、１Ｂ、１Ｃ：着脱可能なベスト、
２：後身頃、        ３：身体、
４：前身頃の係止具、    ５、５Ａ：前身頃、  
５ａ、５ｂ：左右の前身頃、  ６：襟部材係止具、
７：襟部材、        ８：ポケット
９：袖ぐり部分、      １０：開口、
１１：袖部材、      １２：ズボン部材、
１３：ズボン部材係止具、    １４：ズボン、
１５：ズボン係止具。
【図１】
2015175080.tif 000003
【図２】
2015175080.tif 000004
【図３】
2015175080.tif 000005
【図４】
2015175080.tif 000006
【図５】
2015175080.tif 000007
【図６】
2015175080.tif 000008
【図７】
2015175080.tif 000009
【図８】
2015175080.tif 000010
【図９】
2015175080.tif 000011
【図１０】
2015175080.tif 000012
【図１１】
2015175080.tif 000013
【図１２】
2015175080.tif 000014
【図１３】
2015175080.tif 000015